(57)【要約】【課題】金属製カバーを備えたＰＣカード型の無線ＬＡＮカードにおいて、データ伝送のスループットの低下を防止する。【解決手段】アンテナ２５と高周波回路部（無線回路部）２４とベースバンド回路部２３と情報端末装置に接続するためのコネクタ２２とを備えたプリント基板組立２０を合成樹脂製のフレーム１１に固定し、アンテナ２５の部分を除いて金属製のトップカバー１２及びボトムカバー１３で覆ったカード型無線通信装置（無線ＬＡＮカード）１０において、高周波回路部２４を覆うとともにグランドパターンに電気的に接続された金属製のシールドケース２６と金属製のトップカバー１２とを弾力性のある形状に加工した金属導体２７を介して広範囲に接触させる。【選択図】　　図１
2004056565.tif 000002
【特許請求の範囲】
【請求項１】
アンテナ部と、高周波回路部と、ベースバンド回路部と、情報端末装置に接続するコネクタと、前記高周波回路部を覆うとともにグランドパターンに電気的に接続された金属製のシールドケースとを備えたプリント基板組立と、
前記アンテナ部以外を覆う金属製カバーと、
前記シールドケースと前記金属製カバーとの間隙に配置され、前記シールドケースと前記金属製カバーとを接触させる弾力性を備えた形状に加工された金属導体と
を有することを特徴とするカード型無線通信装置。
【請求項２】
請求項１記載のカード型無線通信装置であって、
前記金属導体は面形状を有しており、前記シールドケースと前記金属製カバーとに面接触すること
を特徴とするカード型無線通信装置。
【請求項３】
請求項１又は２に記載のカード型無線通信装置であって、
前記金属導体表面は、酸化し難く腐食し難い加工が施されていること
を特徴とするカード型無線通信装置。
【請求項４】
請求項１乃至３のいずれか１項に記載のカード型無線通信装置であって、
前記アンテナから送受信される無線信号の周波数が５ギガヘルツ帯であることを特徴とするカード型無線通信装置。
【発明の詳細な説明】
【０００１】
【発明の属する技術分野】
本発明は、ＰＣ（パーソナル・コンピュータ）等の情報端末装置に装着されて無線ＬＡＮを構築するためのカード型無線通信装置に関する。
【０００２】
【従来の技術】
近年、例えばＩＥＥＥ８０２．１１シリーズの規格に代表される無線ＬＡＮ（ローカル・エリア・ネットワーク）によるデータ通信が普及しつつある。無線ＬＡＮでは電波による無線ネットワークを構築して、ＰＣ同士あるいはＰＣとプリンタ等の周辺装置との間でデータ送受信することができる。
【０００３】
例えば、ＩＥＥＥ８０２．１１ｂでは、２．４ＧＨｚ帯の電波を使用して、低速の有線ＬＡＮとほぼ同等の１０Ｍｂｐｓ程度のデータ転送速度で距離１０ｍから１００ｍ程度の範囲に無線ネットワークを構築することができる。ＩＥＥＥ８０２．１１ｂでは、ノイズの混入や盗聴防止のため、スペクトラム拡散方式の１つである直接拡散方式による無線通信が採用されている。
【０００４】
通信形態としては、送受信装置間で直接データ送受信を行うアドホック方式や、アクセスポイントを設けてアクセスポイントを介してデータ送受信を行うインフラストラクチャ方式などがある。無線ＬＡＮを実現するには、無線ＬＡＮカードやアダプタを各ＰＣや周辺装置に装着して必要に応じてアクセスポイントを設置する。
また最近では、ＩＥＥＥ８０２．１１ａに準拠した無線ＬＡＮカードが実用化されつつある。この無線ＬＡＮ方式は、５ＧＨｚ帯を利用し、ＯＦＤＭ変調方式（直交周波数分割多重変調方式）を採用することで、最大５４Ｍｂｐｓの伝送レートを実現している。
【０００５】
図４は従来のＰＣＭＣＩＡ規格の無線ＬＡＮカードの縦断面を示している。図５は従来の無線ＬＡＮカードのプリント基板組立の平面図である。図４に示すように、従来の無線ＬＡＮカード１００は、合成樹脂製のフレーム１０１にプリント基板組立１２０が取り付けられ、金属製のトップカバー１０２およびボトムカバー１０３によってプリント基板組立１２０の上面および下面が覆われている。
【０００６】
図５に示すように、プリント基板組立１２０は、プリント基板１２１にコネクタ１２２とベースバンド回路部１２３と高周波回路部（無線回路部）１２４とアンテナ１２５とが配設されて構成されている。不図示の情報端末装置と接続するためのコネクタ１２２は、略矩形のプリント基板１２１の長手方向の一端側に取り付けられている。ダイバシティ構成のアンテナ１２５は、プリント基板１２１の長手方向の他端側に設けられている。ベースバンド回路部１２３はコネクタ１２２側に設けられている。高周波回路部１２４はアンテナ１２５側に設けられている。高周波回路部１２４はシールドケース１２６で覆われている。シールドケース１２６の脚部は、プリント基板１２１に形成されたグランドパターン（不図示）に半田付けで接続されている。
【０００７】
無線ＬＡＮカード１００をＰＣ等の情報端末装置のカードスロットに装着することで、無線ＬＡＮを構築することができる。無線ＬＡＮカード１００をカードスロットに装着した状態で、アンテナ１２５の部分が外方に突出する。アンテナ１２５の部分は、合成樹脂製のフレーム１０１で覆われているので、アンテナ１２５を介して電波の送受信をすることができる。ベースバンド回路部１２３をアンテナ１２５から離れた位置に設けることで、ベースバンド回路部１２３から発生するデジタルノイズ等をアンテナ１２５部分に混入させないようにしている。さらに、高周波回路部１２４をシールドケース１２６で覆うことで、高周波信号が外部に漏れるのを防止し、また、外部からのノイズ等が高周波回路部１２４に混入するのを防止している。
【０００８】
【発明が解決しようとする課題】
ところが、図４及び図５に示した構造の無線ＬＡＮカード１００を複数のパーソナル・コンピュータや周辺装置に装着して無線ＬＡＮを構築し、データ伝送のスループット（単位時間当りのデータ伝送量）を測定したところ、スループットが低下してしまうことがあることが分かった。
【０００９】
本発明はこのような課題を解決するためになされたもので、無線データ伝送を安定に行うことのできるカード型無線通信装置を提供することを目的とする。
【０００１０】
【課題を解決するための手段】
上記目的は、アンテナ部と、高周波回路部と、ベースバンド回路部と、情報端末装置に接続するコネクタと、前記高周波回路部を覆うとともにグランドパターンに電気的に接続された金属製のシールドケースとを備えたプリント基板組立と、前記アンテナ部以外を覆う金属製カバーと、前記シールドケースと前記金属製カバーとの間隙に配置され、前記シールドケースと前記金属製カバーとを接触させる弾力性を備えた形状に加工された金属導体とを有することを特徴とするカード型無線通信装置によって達成される。
【０００１１】
上記本発明のカード型無線通信装置において、前記金属導体は面形状を有しており、前記シールドケースと前記金属製カバーとに面接触することを特徴とする。
【０００１２】
また、上記本発明のカード型無線通信装置において、前記金属導体表面は、酸化し難く腐食し難い加工が施されていることを特徴とする。
【０００１３】
さらに、上記本発明のカード型無線通信装置において、前記アンテナから送受信される無線信号の周波数が５ギガヘルツ帯であることを特徴とする。
【０００１４】
高周波回路部を覆うシールドケースと金属製のカバーとを弾力性のある形状に加工した金属導体を介して広範囲に接触させることで、無線データの送受信が良好に行われ、スループットが向上することが実験の結果確認された。また、本発明に係るカード型無線通信装置を複数の機種のパーソナル・コンピュータに接続して実験を行った結果、いずれの機種においても無線データ伝送のスループットが低下することはなかった。
【００１５】
【発明の実施の形態】
本発明の一実施の形態によるカード型無線通信装置について図１乃至図３を用いて説明する。まず、本実施の形態によるカード型無線通信装置の概略の構成について図１を用いて説明する。図１は本実施の形態によるカード型無線通信装置の一実施の形態としての無線ＬＡＮカードの縦断面図である。
【００１６】
図１に示す無線ＬＡＮカード１０は、無線ＬＡＮ方式ＩＥＥＥ８０２．１１ａに準拠しており、具体的には、５ＧＨｚ帯を利用し、ＯＦＤＭ変調方式（直交周波数分割多重変調方式）を採用することで、最大５４Ｍｂｐｓの伝送レートに対応している。また、この無線ＬＡＮカード１０は、ＰＣＭＣＩＡカードに準拠した形状及びコネクタ構造を有している。
【００１７】
無線ＬＡＮカード１０は、合成樹脂製のフレーム１１にプリント基板組立２０が取り付けられ、金属製のトップカバー１２およびボトムカバー１３によって上面および下面が覆われている。
【００１８】
プリント基板組立２０は、プリント基板２１にコネクタ２２とベースバンド回路部２３と高周波回路部（無線回路部）２４とアンテナ２５とが配設されている。略矩形のプリント基板２１の長手方向の一端側（図示の左端側）に、図示しない情報端末装置と接続するためのコネクタ２２が取り付けられている。プリント基板２１の長手方向の他端側（図示の右端側）に、ダイバシティ構成のアンテナ２５が設けられている。ベースバンド回路部２３はコネクタ２２側に設けられている。高周波回路部２４はアンテナ２５側に設けられている。高周波回路部２４は、シールドケース２６で覆われている。シールドケース２６の脚部は、プリント基板２１に形成されたグランドパターン（不図示）に半田付けで接続されている。
【００１９】
シールドケース２６の上面とトップカバー１２の下面との間隙には、弾力性のある形状に加工した金属導体２７が配置され、金属導体２７を介してシールドケース２６とトップカバー１２とは電気的に接続されている。金属導体２７は、例えばリン青銅やステンレス製の、酸化し難く腐食し難い薄板材をくの字状に折り曲げて形成されている。薄板材の厚さはシールドケース２６とトップカバー１２との間隙よりも十分に薄い厚さに形成されている。金属導体２７の基端部２７ａ側は、例えばスポット溶接等によってシールドケース２６の上面に固着されている。トップカバー１２が取り付けられた状態で、金属導体２７の先端２７ｂ側がトップカバー１２の下面に当接・押圧されて、金属導体２７の先端２７ｂ側の広い範囲がトップカバー１２の下面に接触するようになっている。
【００２０】
図２は本実施の形態によるカード型無線通信装置の一実施の形態としての無線ＬＡＮカードのプリント基板組立の平面図である。図２に示すように、シールドケース２６は、高周波回路部２４の全体を覆うようにプリント基板２１の幅方向の略全体に亘って設けられている。金属導体２７も同様にシールドケース２６の幅方向の略全体に亘って設けられている。これにより、金属製のトップカバー１２とシールドケース２６とが金属導体２７を介して広い範囲に亘って電気的に接続される。シールドケース２６の脚部はプリント基板２１のグランドパターンに半田付けによって接続されているので、トップカバー１２は金属導体２７を介してグランド電位に接続されることになる。
【００２１】
図３は本実施の形態によるカード型無線通信装置の一実施の形態としての無線ＬＡＮカードのスループットの測定結果を示すグラフである。横軸は無線ＬＡＮカードと無線アクセスポイントまたは無線ＬＡＮカードを装着した他の情報端末装置との間の距離である。縦軸は無線ＬＡＮカードを介してファイル転送を行った際のデータ伝送のスループットであり、単位はＭｂｐｓである。黒丸印で示す特性はシールドケースとトップカバーとを電気的に非接触状態とした従来の無線ＬＡＮカードの特性である。四角印で示す特性は本実施の形態による無線ＬＡＮカードの特性である。従来の無線ＬＡＮカードを用いた場合にはデータ伝送のスループットが１５Ｍｂｐｓ程度であるのに対して、シールドケース２６とトップカバー１２とを金属導体２７を介して広範囲に亘って接続した本実施の形態による無線ＬＡＮカードでは、スループットが２０Ｍｂｐｓを超える値に向上されている。
また、本発明の構成は、プリント基板２１のベースバンド回路部２３のグランドパターンに直接金属導体を配置しトップカバー１２と直接接触させた構成よりも、無線データ伝送のスループットを向上させることがわかった。
【００２２】
本実施の形態による無線ＬＡＮカードは、弾力性のある形状に加工した金属導体２７を用いているので、シールドケース２６とトップカバー１２と確実に接触させることができる。また、高周波回路部２４からの発熱を、シールドケース２６−金属導体２７−トップケース１２を介して外部に放出させることができるので、温度特性にゆとりを持たせることができる。
【００２３】
本発明は、上記実施の形態に限らず種々の変形が可能である。
例えば、上記実施の形態では、断面くの字状の金属導体２７を用いたが本発明はこれに限られず、たとえば、断面Ｚ字状（三つ折状）や断面二つ折状に形成した金属導体をもちいることも可能である。
【００２４】
【発明の効果】
以上説明したように本発明によるカード型無線通信装置は、高周波回路部を覆うシールドケースと金属製のカバーとを弾力性のある形状に加工した金属導体を介して広範囲に接触させる構造としたので、無線データの送受信が良好に行われ、無線データ伝送のスループットを向上させることができる。
【図面の簡単な説明】
【図１】本発明の一実施の形態によるカード型無線通信装置としての無線ＬＡＮカードの縦断面図である。
【図２】本発明の一実施の形態によるカード型無線通信装置としての無線ＬＡＮカードのプリント基板組立の平面図である。
【図３】本発明の一実施の形態によるカード型無線通信装置としての無線ＬＡＮカードのスループットの測定結果を示すグラフである。
【図４】従来の無線ＬＡＮカードの縦断面図である。
【図５】従来の無線ＬＡＮカードのプリント基板組立の平面図である。
【符号の説明】
１０　無線ＬＡＮカード
１１　フレーム
１２　トップカバー
１３　ボトムカバー
２０　プリント基板組立
２１　プリント基板
２２　コネクタ
２３　ベースバンド回路部
２４　高周波回路部（無線回路部）
２５　アンテナ
２６　シールドケース
２７　金属導体
【図１】
2004056565.tif 000003
【図２】
2004056565.tif 000004
【図３】
2004056565.tif 000005
【図４】
2004056565.tif 000006
【図５】
2004056565.tif 000007